(57)【要約】【課題】スマートフォン操作において、バックグラウンド処理で画像の受信処理を実行すると、画像の受信が完了したことをユーザーが認識できない。結果として、デジタルカメラの通信が確立状態となり、ユーザーが気づかずにデジタルカメラとスマートフォンの双方の電池を消耗して、無駄になるといった課題がある。【解決手段】画像の受信が完了した場合、スマートフォン操作モードからカメラ操作モードに切り替えて、デジタルカメラ側の操作を行うことができるようにすることで、ユーザーに気づきを与えることを行い、無駄な電池消耗を防ぐことを提案する。【選択図】図４
2014053702.tif 000002
【特許請求の範囲】
【請求項１】
デジタルカメラとスマートフォンにおける画像通信システムにおいて、
デジタルカメラ操作とスマートフォン操作の操作する系を切り替えて使用するといったシステムで、さらに一方を操作中は、もう一方を操作できなくした排他的なシステムにおいて、スマートフォン操作で、画像通信処理をバックグラウンドで実行中に、処理が完了した場合は、カメラ操作を有効にし、フォアグラウンドで処理が完了した場合は、操作の切り替えを行わないことを特徴とする画像通信システム。
【請求項２】
デジタルカメラとスマートフォンにおける画像通信システムにおいて、
デジタルカメラ操作とスマートフォン操作の操作する系を切り替えて使用するといったシステムで、さらに一方を操作中は、もう一方を操作できなくした排他的なシステムにおいて、スマートフォン操作で、画像通信処理をバックグラウンドで実行中に、処理が完了した場合は、通信を切断することを特徴とする画像通信システム。
【請求項３】
処理が完了した場合は、一定時間待機し、待機後にフォアグラウンド処理ではなかった場合は、操作の切り替えを行わないことを特徴とする請求項１に記載の画像通信システム。
【請求項４】
カメラ操作モードに切り替え後に、スマートフォン側のシステムがフォアグラウンド処理になった場合に、再度スマートフォン操作モードに切り替えることを特徴とする請求項１乃至請求項３の何れか１項に記載の画像通信システム。
【発明の詳細な説明】
【技術分野】
【０００１】
本発明は、デジタルカメラとスマートフォン画像通信に関する。
【背景技術】
【０００２】
近年、いわゆるスマートフォンと呼ばれる携帯電話の登場により、スマートフォンと連携した製品とそのアプリケーションが多くリリースされている。そのような製品のアプリケーションの中に、デジタルカメラと通信して画像表示を行うアプリケーションがリリースされ、ユーザーに利用されている。携帯電話とデジタルカメラを通信させる概念は以前から存在していた（特許文献１）。
【０００３】
このようなデジタルカメラとスマートフォンの画像通信システムにおける操作として考えられるのは、デジタルカメラをメインに使用するユーザーは、デジタルカメラを操作して、画像を送信するのが最も使い勝手がよい。その一方、スマートフォンをメインに使用するユーザーは、スマートフォンを操作して、デジタルカメラ内にある画像を覗きながら画像を選択して受信する操作が使い勝手が良いと考えている。
【先行技術文献】
【特許文献】
【０００４】
【特許文献１】特開２００１−３３３１６２号公報
【発明の概要】
【発明が解決しようとする課題】
【０００５】
上記のようなシステムにおいて、デジタルカメラとスマートフォンの操作系を切り替えて使用することにより、一方の使用中はもう一方の使用を排他するシステムが考えられる。
【０００６】
しかし、上記のようなシステムにおいてスマートフォン操作において、バックグラウンド処理で画像の受信処理を実行すると、画像の受信が完了したことをユーザーが認識できない。結果として、デジタルカメラの通信が確立状態となり、ユーザーが気づかずにデジタルカメラとスマートフォンの双方の電池を消耗して、無駄になるといった課題がある。
【課題を解決するための手段】
【０００７】
上記課題に対し、画像の受信が完了した場合、スマートフォン操作モードからカメラ操作モードに切り替えて、デジタルカメラ側の操作を行うことができるようにすることで、ユーザーに気づきを与えることを行い、無駄な電池消耗を防ぐことを提案する。
【発明の効果】
【０００８】
本発明によれば、デジタルカメラとスマートフォンにおける画像通信システムにおいて、スマートフォン操作において、バックグラウンド画像受信を行った場合において、画像受信完了したことを明確に伝えることができるようになり、無駄な電池消耗を抑えることができるようになる。また、デジタルカメラとスマートフォンの使用者が別人であった場合に対しても同様に有効である。
【図面の簡単な説明】
【０００９】
【図１】表示制御装置のブロック図
【図２】デジタルカメラの外観図
【図３】デジタルカメラのブロック図
【図４】画像通信システムのフローチャート２（表示制御装置側・デジタルカメラ側）
【発明を実施するための形態】
【００１０】
以下、図面を参照して本発明の好適な実施形態を説明する。
【００１１】
図１に、本発明を適用可能な表示制御装置１００の構成の一例を示す。表示制御装置１００は、スマートフォン１００などを用いて構成可能なものである。
【００１２】
図１において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、通信Ｉ／Ｆ１１０が接続されている。内部バス１５０に接続される各部は、内部バス１５０を介して互いにデータのやりとりを行うことができるようにされている。
【００１３】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、表示制御装置１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１４】
画像処理部１０４は、ＣＰＵ１０１の制御に基づいて、不揮発性メモリ１０３や記録媒体１０８に格納された画像データや、外部Ｉ／Ｆ１０９を介して取得した映像信号、通信Ｉ／Ｆ１１０を介して取得した画像データなどに対して各種画像処理を施す。画像処理部１０４が行う画像処理には、Ａ／Ｄ変換処理、Ｄ／Ａ変換処理、画像データの符号化処理、圧縮処理、デコード処理、拡大／縮小処理（リサイズ）、ノイズ低減処理、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１５】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するように表示制御装置１００の各部を制御する。ディスプレイ１０５は出力された映像信号に基づいて映像を表示する。なお、表示制御装置１００自体が備える構成としてはディスプレイ１０５に表示させるための映像信号を出力するためのインターフェースまでとし、ディスプレイ１０５は外付けのモニタ（テレビなど）で構成してもよい。
【００１６】
操作部１０６は、キーボードなどの文字情報入力デバイスや、マウスやタッチパネルといったポインティングデバイス、ボタン、ダイヤル、ジョイスティック、タッチセンサ、タッチパッドなどを含む、ユーザー操作を受け付けるための入力デバイスである。なお、タッチパネルは、ディスプレイ１０５に重ね合わせて平面的に構成され、接触された位置に応じた座標情報が出力されるようにした入力デバイスである。
【００１７】
記憶媒体Ｉ／Ｆ１０７は、メモリーカードなどの記録媒体１０８が装着可能とされ、ＣＰＵ１０１の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器やネットワーク１１１などと通信して、ファイルやコマンドなどの各種データの送受信を行うためのインターフェースである。
【００１８】
なお操作部１０８にタッチパネルが含まれる場合、ＣＰＵ１０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バス１５０を通じてＣＰＵ１０１に通知され、ＣＰＵ１０１は通知された情報に基づいてタッチパネル上にどのような操作が行なわれたかを判定する。ムーブについては、タッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合は、ドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００１９】
図２に本発明の撮像装置の一例としてのデジタルカメラ２００の外観図を示す。
【００２０】
表示部２２８は画像や各種情報を表示する表示部である。シャッターボタン２６１は撮影指示を行うための操作部である。モードダイアル２６０は各種モードを切り替えるための操作部である。コネクタ２１２は接続ケーブルとデジタルカメラ２００とのコネクタである。コネクタ２１２は、有線／無線による通信を問わず、またコネクタ２１２の脱着可、不可を問わない。
【００２１】
操作部２７０はユーザーからの各種操作を受け付ける各種スイッチ、ボタン、タッチパネル等の操作部材より成る操作部である。２７２は電源スイッチであり、電源オン、電源オフを切り替える。記録媒体２２０はメモリーカードやハードディスク等の記録媒体である。記録媒体スロット２０１は記録媒体２２０を格納するためのスロットである。記録媒体スロット２０１に格納された記録媒体２２０は、デジタルカメラ２００との通信が可能となる。蓋２０３は記録媒体スロット２０１の蓋である。
【００２２】
図３は、本実施形態によるデジタルカメラ２００の構成例を示すブロック図である。
【００２３】
図３において、撮影レンズ３０３はズームレンズ、フォーカスレンズを含むレンズ群である。シャッター３０１は絞り機能を備えるシャッターである。撮像部３２２は光学像を電気信号に変換するＣＣＤやＣＭＯＳ素子等で構成される撮像素子である。Ａ／Ｄ変換器３２３は、アナログ信号をデジタル信号に変換する。Ａ／Ｄ変換器３２３は、撮像部３２２から出力されるアナログ信号をデジタル信号に変換するために用いられる。バリア３０２は、デジタルカメラ２００の、撮影レンズ３０３を含む撮像系を覆うことにより、撮影レンズ３０３、シャッター３０１、撮像部３２２を含む撮像系の汚れや破損を防止する。
【００２４】
画像処理部３２４は、Ａ／Ｄ変換器３２３からのデータ、又は、メモリ制御部３１５からのデータに対し所定の画素補間、縮小といったリサイズ処理や色変換処理を行う。また、画像処理部３２４では、撮像した画像データを用いて所定の演算処理が行われ、得られた演算結果に基づいてシステム制御部３５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部３２４では更に、撮像した画像データを用いて所定の演算処理を行い、得られた演算結果に基づいてＴＴＬ方式のＡＷＢ（オートホワイトバランス）処理も行っている。
【００２５】
Ａ／Ｄ変換器３２３からの出力データは、画像処理部３２４及びメモリ制御部３１５を介して、或いは、メモリ制御部３１５を介してメモリ３３２に直接書き込まれる。メモリ３３２は、撮像部３２２によって得られ、Ａ／Ｄ変換器３２３によりデジタルデータに変換された画像データや、表示部３２８に表示するための画像データを格納する。メモリ３３２は、所定枚数の静止画像や所定時間の動画像および音声を格納するのに十分な記憶容量を備えている。
【００２６】
また、メモリ３３２は画像表示用のメモリ（ビデオメモリ）を兼ねている。Ｄ／Ａ変換器３１３は、メモリ３３２に格納されている画像表示用のデータをアナログ信号に変換して表示部３２８に供給する。こうして、メモリ３３２に書き込まれた表示用の画像データはＤ／Ａ変換器３１３を介して表示部３２８により表示される。表示部３２８は、ＬＣＤ等の表示器上に、Ｄ／Ａ変換器３１３からのアナログ信号に応じた表示を行う。Ａ／Ｄ変換器３２３によって一度Ａ／Ｄ変換されメモリ３３２に蓄積されたデジタル信号をＤ／Ａ変換器３１３においてアナログ変換し、表示部３２８に逐次転送して表示することで、電子ビューファインダとして機能し、スルー画像表示を行える。
【００２７】
不揮発性メモリ３５６は、電気的に消去・記録可能なメモリであり、例えばＥＥＰＲＯＭ等が用いられる。不揮発性メモリ３５６には、システム制御部３５０の動作用の定数、プログラム等が記憶される。ここでいう、プログラムとは、本実施形態にて後述する各種フローチャートを実行するためのプログラムのことである。
【００２８】
システム制御部３５０は、デジタルカメラ２００全体を制御する。前述した不揮発性メモリ３５６に記録されたプログラムを実行することで、後述する本実施形態の各処理を実現する。３５２はシステムメモリであり、ＲＡＭが用いられる。システムメモリ３５２には、システム制御部３５０の動作用の定数、変数、不揮発性メモリ３５６から読み出したプログラム等を展開する。また、システム制御部はメモリ３３２、Ｄ／Ａ変換器３１３、表示部３２８等を制御することにより表示制御も行う。
【００２９】
システムタイマー３５３は各種制御に用いる時間や、内蔵された時計の時間を計測する計時部である。
【００３０】
モード切替スイッチ２６０、第１シャッタースイッチ２６２、第２シャッタースイッチ２６４、操作部２７０はシステム制御部３５０に各種の動作指示を入力するための操作手段である。
【００３１】
モード切替スイッチ２６０は、システム制御部３５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ２６０で、静止画撮影モードに含まれるこれらのモードのいずれかに直接切り替えられる。あるいは、モード切り替えスイッチ２６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ２６２は、デジタルカメラ２００に設けられたシャッターボタン２６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３２】
第２シャッタースイッチ２６４は、シャッターボタン２６１の操作完了、いわゆる全押し（撮影指示）でＯＮとなり、第２シャッタースイッチ信号ＳＷ２を発生する。システム制御部３５０は、第２シャッタースイッチ信号ＳＷ２により、撮像部３２２からの信号読み出しから記録媒体２２０に画像データを書き込むまでの一連の撮影処理の動作を開始する。
【００３３】
操作部２７０の各操作部材は、表示部３２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２２８に表示される。利用者は、表示部２２８に表示されたメニュー画面と、上下左右の４方向ボタンやＳＥＴボタンとを用いて直感的に各種設定を行うことができる。
【００３４】
電源制御部３８０は、電池検出回路、ＤＣ−ＤＣコンバータ、通電するブロックを切り替えるスイッチ回路等により構成され、電池の装着の有無、電池の種類、電池残量の検出を行う。また、電源制御部３８０は、その検出結果及びシステム制御部３５０の指示に基づいてＤＣ−ＤＣコンバータを制御し、必要な電圧を必要な期間、記録媒体２２０を含む各部へ供給する。
【００３５】
電源部３３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ３１８は、メモリーカードやハードディスク等の記録媒体２２０とのインターフェースである。記録媒体２２０は、撮影された画像を記録するためのメモリーカード等の記録媒体であり、半導体メモリや磁気ディスク等から構成される。
【００３６】
通信Ｉ／Ｆ３６０は、外部機器やネットワーク１１１などと通信して、ファイルやコマンドなどの各種データの送受信を行うためのインターフェースである。
【００３７】
以下、図４を参照して、本発明の実施例の動作を説明する。
【実施例１】
【００３８】
実施例１では、スマートフォンとデジタルカメラ通信における画像通信システムにおいて、デジタルカメラに格納されている記憶媒体２２０上にある画像を、通信Ｉ／Ｆ３６０を介し、スマートフォンのＣＰＵ１０１が通信Ｉ／Ｆ１１０から記憶媒体１０８へ保存し、操作系を切り替えるフローチャートである。
【００３９】
図４におけるＦｌｏｗ−ａ１は、スマートフォン１００側における動作を説明したものである。
【００４０】
Ｓ４０１は、本フローチャート（Ｆｌｏｗ−ａ）の開始を示す。このステップでは、スマートフォン１００のＣＰＵ１０１が、通信Ｉ／Ｆ１１０を経由し、デジタルカメラ２００における通信Ｉ／Ｆ３６０と、ネットワーク１１１を介して論理的に接続している状態であるとする。接続手段については、ＴＣＰ／ＩＰ上において、互いに決められた通信プロトコルに従って、画像の送受信が行えるものとする。
【００４１】
Ｓ４０２は、ＣＰＵ１０１がデジタルカメラ２００の記憶媒体２２０に記録されている画像に対し、画像の受信処理および保存処理を行うことを示す。処理の完了後、Ｓ４０２は、Ｓ４０３へ遷移する。
【００４２】
Ｓ４０３は、ＣＰＵ１０１が、ユーザーが受信したい画像に対し、不揮発性メモリ１０３に記述されているプログラムに従って、画像の受信処理および保存処理が完了したかどうかを判定する。完了した場合は、Ｓ４０４へ遷移し、完了していない場合は、Ｓ４０２に遷移する。
【００４３】
Ｓ４０４は、ＣＰＵ１０１が、バックグラウンド処理の画像の受信が完了したか、または、バックグラウンド処理の画像の受信が完了後、一定時間経過しているかどうかを判断する。そうであれば、Ｓ４０５へ遷移する。そうでない場合は、Ｓ４０６へ遷移する。
【００４４】
Ｓ４０５は、ＣＰＵ１０１が、通信Ｉ／Ｆ１１０を経由して、カメラ操作モードに切り替え要求を実行するか、または、ＣＰＵ１０１が通信Ｉ／Ｆ１１０を経由して、通信の切断要求を実行するか、または、ＣＰＵ１０１がフォアグラウンド処理として、ディスプレイ１０５へ通知が完了したことを要求する。処理が完了後、Ｓ４０６へ遷移する。
【００４５】
Ｓ４０６は、本フローチャートの終了（Ｆｌｏｗ−ａ１）を示す。
【００４６】
図４におけるＦｌｏｗ−ｂ１は、スマートフォン１００側における動作を説明したものである。
【００４７】
Ｓ４１０は、本フローチャート（Ｆｌｏｗ−ｂ１）の開始を示す。
【００４８】
Ｓ４１１は、システム制御部３５０が、通信Ｉ／Ｆ３６０を介して、画像の送信要求を受信する。要求を受信後、Ｓ４１２へ遷移する。
【００４９】
Ｓ４１２は、システム制御部３５０が、通信Ｉ／Ｆ３６０から要求された画像ファイルを記録媒体２２０から見つけ出し、通信Ｉ／Ｆ３６０を介して画像を送信する。処理を実行完了後、Ｓ４１３へ遷移する。
【００５０】
Ｓ４１３は、システム制御部３５０が、通信Ｉ／Ｆ３６０を介して、画像の送信要求があるかどうかを判定する。画像の送信要求が終了した場合は、Ｓ４１４へ遷移し、そうでない場合は、Ｓ４１１へ遷移する。
【００５１】
Ｓ４１４は、システム制御部３５０が、通信Ｉ／Ｆ３６０を介して、カメラ操作モードの切り替え要求があるか、または、システム制御部３５０が、通信Ｉ／Ｆ３６０を介して、通信切断要求があるかどうかを判断する。要求がある場合は、Ｓ４１５へ遷移する。そうでない場合は、Ｓ４１６へ遷移する。
【００５２】
Ｓ４１５は、システム制御部３５０が、カメラ操作モードに切り替える場合は、表示部２２８へ操作可能なモードを表示し、操作部２７０の要求を受け付けるように、プログラムを実行する。また、通信を切断する場合は、通信Ｉ／Ｆ３６０と通信Ｉ／Ｆ１１０の通信を切断する。
【００５３】
Ｓ４１６は、本フローチャート（Ｆｌｏｗ−ｂ１）の終了を示す。
【００５４】
図４におけるＦｌｏｗ−ａ２は、スマートフォン１００側における動作を説明したものである。
【００５５】
Ｆｌｏｗ−ａ２は、Ｆｌｏｗ−ａ１に対して、さらに使い勝手を向上させるために追加したフローチャート例を示す。
【００５６】
Ｓ４０１〜Ｓ４０５、Ｓ４０６は、Ｆｌｏｗ−ａ１と同様である。
【００５７】
ただし、Ｓ４０５において、通信を切断するという方法はない。
【００５８】
Ｓ４０７は、ＣＰＵ１０１が操作部１０６からユーザー操作を検知し、画像通信システムがフォアグラウンド処理になったかどうかを判定する。フォアグラウンド処理になった倍は、Ｓ４０８へ遷移し、そうでない場合は、Ｓ４０４へ遷移する。
【００５９】
図４におけるＦｌｏｗ−ｂ２は、スマートフォン１００側における動作を説明したものである。
【００６０】
Ｆｌｏｗ−ｂ２は、Ｆｌｏｗ−ｂ１に対して、さらに使い勝手を向上させるために追加したフローチャート例を示す。
【００６１】
Ｓ４１０〜Ｓ４１５、Ｓ４１６は、Ｆｌｏｗ−ｂ１と同様である。
【００６２】
ただし、Ｓ４１５において、通信を切断するという方法はない。
【００６３】
Ｓ４１７は、システム制御部３５０が、通信Ｉ／Ｆ３６０からスマートフォン操作モード切り替え要求があるかどうかを判定する。要求がある場合は、Ｓ４１８へ遷移し、そうでない場合は、Ｓ４１４へ遷移する。
【００６４】
Ｓ４１８は、システム制御部３５０が、スマートフォン操作モードに切り替えるために、表示部２２８に、操作できないように画面を表示し、操作部２７０から要求を受け付けないようにする、または、要求を受け付けても処理を実行しないようにする。
【００６５】
図４で説明した画像通信システムのフローチャートによれば、Ｆｌｏｗ−ａ１，Ｆｌｏｗ−ｂ１においては、スマートフォン操作による画像受信を行う場合、ユーザーは、バックグラウンド処理が完了したことに対して、デジタルカメラの画面表示が切り替わったことにより気づくことができるようになる、また、処理の完了後に通信を切断することで、気づくことが出来なかったとしても、電池を消耗するのを防ぐことができるようになる。
【００６６】
Ｆｌｏｗ−ａ２，Ｆｌｏｗ−ｂ２においては、ユーザーが、バックグラウンド処理が完了したかどうかを確認した場合において、スマートフォン操作モードに戻るため、操作モードを再度切替えるといったことが必要なく、使い勝手を向上させることができるようになる。
【００６７】
以上説明したように、本発明によれば、デジタルカメラとスマートフォンの画像通信システムにおいて、スマートフォン操作で画像受信処理をバックグラウンドで実行した場合において、ユーザーが処理完了を容易に気づくことができるようになり使い勝手を向上させることができるようになる。
【００６８】
なお、上述した実施形態においては、本発明をスマートフォンに適用した場合を例にして説明したが、これはこの例に限定されない。すなわち、本発明は、デジタルカメラなどの撮像装置に適用してもよい。すなわち、マルチタスク環境において実現できるデバイスにおいては、本発明は適用可能である。さらに、ＰＤＡ、携帯電話端末や携帯型の画像ビューワ、ディスプレイを備えるプリンタ装置、デジタルフォトフレーム、音楽プレーヤー、ゲーム機、電子ブックリーダーなど、画像を表示可能な装置であれば、本発明は適用可能である。
【００６９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のスマートフォン（又はＣＰＵやＭＰＵ等）がプログラムコードを読み出して実行する処理である。この場合、そのプログラム、及び該プログラムを記憶した記憶媒体は本発明を構成することになる。
【符号の説明】
【００７０】
１０１  ＣＰＵ
１０２  メモリ
１０３  不揮発性メモリ
１０４  画像処理部
１０５  ディスプレイ
１０６  操作部
１０７  記録媒体Ｉ／Ｆ
１０９  外部Ｉ／Ｆ
１１０  通信Ｉ／Ｆ
１５０  内部バス
【図１】
2014053702.tif 000003
【図２】
2014053702.tif 000004
【図３】
2014053702.tif 000005
【図４】
2014053702.tif 000006